(57)【要約】【課題】マスクを特に縦方向について立体的に保持可能であり、長時間のマスク着用においても良好な快適性を発揮させることができ、また衛生的に再利用することができる安価なマスクシールおよびマスクシールセットを提供する。【解決手段】マスクシール１は、マスクの上縁に配置される上端部２と、マスクの下縁に配置される下端部３と、上端部２と下端部３の間に介在する中間部４を備え、マスクを顔面から突出するように保持し、上端部２は、マスクの上縁のうち、互いに間隔を空けた２箇所に係止される１対の上方係止部２Ａ，２Ａであり、下端部３は、マスクの下縁の１箇所に係止される下方係止部３Ａであることを特徴とする。【選択図】図１
0003229358.tif 000002
【実用新案登録請求の範囲】
【請求項１】
マスクの立体形状を保持するために、前記マスクの内側面に装着されるシート状の基体を有するマスクシールであって、
前記マスクシールは、前記マスクの上縁に配置される上端部と、前記マスクの下縁に配置される下端部と、前記上端部と前記下端部の間に介在する中間部を備え、前記マスクを顔面から突出するように保持し、
前記上端部は、前記マスクの前記上縁のうち、互いに間隔を空けた２箇所に係止される１対の上方係止部であり、
前記下端部は、前記マスクの前記下縁の少なくとも１箇所に係止される下方係止部であることを特徴とするマスクシール。
【請求項２】
前記上端部は、１対の前記上方係止部の代わりに、短冊状の上方帯状部からなり、
前記上方帯状部は、前記マスクの前記上縁のうち、前記マスクの本体を横方向に均等分割する中心線を跨いで配置されることを特徴とする請求項１に記載のマスクシール。
【請求項３】
前記マスクシールは、第１及び第２の面を有する前記基体と、前記第２の面を被覆する粘着層を備え、
前記粘着層は、少なくとも前記上端部及び前記下端部に形成されることを特徴とする請求項１又は請求項２に記載のマスクシール。
【請求項４】
前記中間部は、その平面形状がＶ字形状またはＹ字形状をなすことを特徴とする請求項１乃至請求項３のいずれか１項に記載のマスクシール。
【請求項５】
前記基体は、可撓性を有する合成樹脂製であることを特徴とする請求項１乃至請求項４のいずれか１項に記載のマスクシール。
【請求項６】
請求項１乃至請求項５のいずれか１項に記載のマスクシールと、
前記マスクシールが装着される前記マスクからなり、
前記マスクは、前記上縁に、前記上端部が取り付けられる第１の取付部を備えるとともに、前記下縁に、前記下端部が取り付けられる第２の取付部を備えることを特徴とするマスクシールセット。
【考案の詳細な説明】
【技術分野】
【０００１】
本考案は、マスクの立体形状を保持するためのマスクシールおよびマスクシールセットに係り、特に、マスクの内側に装着されるシート状のマスクシール、及び、マスクシールと、マスクシールを好適に装着可能なマスクからなるマスクシールセットに関する。
【背景技術】
【０００２】
従来、衛生用のマスクとして、一般的に不織布製や布製のマスクが用いられてきた。しかし、このようなマスクは、柔軟性を有し自在に変形し得るため、呼吸や外からの風圧によって立体形状が失われ易い。そのため、着用したときに鼻や口に密着して息苦しさや暑苦しさを感じたり、皮膚が不衛生になったりする場合があった。
このような課題を解決するため、マスクの内側に装着してその立体形状を保持するための技術が開示されており、それに関して既にいくつかの発明や考案が開示されている。
【０００３】
特許文献１には、「形態補強マスク」という名称で、マスク内の空間を確保できる形態補強マスクに関する発明が開示されている。
特許文献１に開示された発明は、マスク本体と掛け紐で構成されるマスクにおいて、このマスクの裏面にテープ状膏体をマスク本体の幅方向に沿って貼着し、形態補強を施したことを特徴とする。 
このような特徴を有する発明においては、膨出したマスク面を内部からテープ状膏体の貼着で補強するので、鼻先や口とマスク裏面間に空間が確保され、マスク裏面が鼻先や口に触れることがなく、マスクを快適に着用できる。また、テープ状膏体自体に接着力があるため、接着剤を用いることなくマスク裏面に貼着することができる。
【０００４】
次に、特許文献２には、「マスク補助具」という名称で、マスク本体の膨らみを好適に保つことができるマスク補助具に関する発明が開示されている。
特許文献２に開示された発明は、マスク本体の着用者の口囲皮膚に沿って湾曲する複数の第１の湾曲部と、複数の第１の湾曲部の端部を連結する連結部に両端が支持されてマスク本体の方向に湾曲する第２の湾曲部と、を備え、第１の湾曲部および第２の湾曲部は、可撓性を有する一枚のシートからなり、このシートの切り込みによって、第１の湾曲部および第２の湾曲部が接触対象に応じた異なる曲率半径を有するように形成されていることを特徴とする。 
このような特徴を有する発明においては、第２の湾曲部が、第１の湾曲部によって支持されつつ、前方に突出して湾曲しているため、マスク本体の膨らみを保つことができる。また、第１の湾曲部と、第２の湾曲部は、一枚のシートからなるため、製造コストを抑制することができる。
【０００５】
さらに、特許文献３には、「マスク用補助具」という名称で、マスク本体の膨らみを好適に保つことができるマスク補助具に関する考案が開示されている。
特許文献３に開示された考案は、側面視においてマスクに略椀状の膨らみを持たせることが可能な形状のマスク用補助具であって、マスク用補助具のマスクと当接する側の表面上にはマスクとこのマスク用補助具を係合するための少なくとも一つの係合手段を備え、マスク用補助具がその形成する略椀状の膨らみの正面視における表面積に対して３パーセント以上の面積にわたる通気孔を少なくとも二つ以上有することを特徴とする。 
このような特徴を有する考案においては、マスクの着用面と着用者の顔との間に隙間空間を形成することができる。また、通気孔により、マスク内の通気性が確保されることから、会話の不便さやマスク内にこもる熱気による不快さも改善できる。さらに、マスク用補助具の上端が着用者の鼻筋に当接するため、ズレが生じにくくなる。
【先行技術文献】
【特許文献】
【０００６】
【特許文献１】特開２０１２−１８７３３２号公報
【特許文献２】特許第５３７３９９４号公報
【特許文献３】実用新案登録第３２２７２６０号公報
【考案の概要】
【考案が解決しようとする課題】
【０００７】
しかしながら、特許文献１に開示された発明においては、テープ状膏体がマスク本体の幅方向に沿って貼着されることから、マスク本体の縦方向については、これを立体的に保持できない可能性がある。そのため、マスク内の空間が高さ方向に狭く、息苦しさ等の不快感を十分に解消できないおそれがある。
また、テープ状膏体は、和紙や不織布等の通気性のある薬剤基布に薬剤が塗布されたものであるから、水洗い等して再利用することが困難である。そのため、交換のためのコストが嵩む懸念や、交換の頻度が少なめになり不衛生になるという懸念もある。
【０００８】
また、特許文献２に開示された発明においては、第１の湾曲部が着用者の口囲皮膚に密着することにより、マスク補助具がマスク本体内で保持されるため、密着による皮膚に不快感が生じる可能性がある。また、マスクを外した際に、マスク補助具が不意に落下し、不潔になってしまうおそれもある。この場合、再度マスクを着用する際の洗浄や消毒の手間が増すため、煩雑である。
さらに、マスク補助具は、第１の湾曲部の先端に係止部と、この係止部が差し込まれるスリットを備えるほか、第１及び第２の開口部を有することから、原材料となるシート体を複雑な形状にカットする必要がある。そのため、多数の切り残しが発生して原材料の利用効率が低くなることで、製造コストを低廉に抑制できないおそれがある。
【０００９】
そして、特許文献３に開示された考案においては、マスク用補助具本体の上端と下端に係合手段を備えていないため、例えば会話によって、マスクの上縁と下縁がマスク用補助具本体の上端と下端に対してずれることが考えられる。よって、特許文献１に開示された発明と同様に、マスク本体の縦方向について、これを立体的に保持できず、息苦しさ等の不快感を解消できないおそれがある。
また、マスク用補助具は、本体の上端が着用者の鼻筋に当接するためズレが生じにくくなるという利点を有するが、マスクを長時間着用する際には、鼻筋部分に発汗や擦れが起きることが考えられる。そのため、長時間のマスク着用では、快適性が損なわれるおそれがある。
【００１０】
本考案は、このような従来の事情に対処してなされたものであり、マスクを立体的に、特に縦方向についても十分に保持可能であるとともに、長時間のマスク着用においても良好な快適性を発揮させることができ、また容易に洗浄、消毒可能なために衛生的に再利用することができることに加え、製造コストを安価に抑制し得るマスクシールおよびマスクシールセットを提供することを目的とする。 
【課題を解決するための手段】
【００１１】
上記目的を達成するため、第１の考案は、マスクの立体形状を保持するために、マスクの内側面に装着されるシート状の基体を有するマスクシールであって、マスクシールは、マスクの上縁に配置される上端部と、マスクの下縁に配置される下端部と、上端部と下端部の間に介在する中間部を備え、マスクを顔面から突出するように保持し、上端部は、マスクの上縁のうち、互いに間隔を空けた２箇所に係止される１対の上方係止部であり、下端部は、マスクの下縁の少なくとも１箇所に係止される下方係止部であることを特徴とする。
【００１２】
このような構成の考案において、１対の上方係止部が、マスクの上縁のうち、互いに間隔を空けた２箇所に係止される理由は、マスク着用者の鼻に１対の上方係止部が接触して不快になるのを避けるため、鼻の左右両側に１対の上方係止部がそれぞれ配置されるようにしたものである。すなわち、１対の上方係止部同士の最大間隔は、鼻の横幅と同程度か、より広いことが望ましい。なお、上記最大間隔や、本体の縦方向のサイズは、着用者の顔の大きさやマスクの縦方向のサイズに対応可能に、適宜設計変更される。
これに対し、下方係止部が、マスクの下縁の少なくとも１箇所に係止される理由は、下方係止部が着用者の下顎に配置されるため、上記のように特定の箇所を避ける必要がないためである。よって、下方係止部が、１対の上方係止部のように２つに分岐していても良く、この場合、分岐した下方係止部同士の間隔は特に制限されない。
また、上端部及び下端部は、例えば、それぞれ粘着材を介してマスクの上縁及び下縁に貼着される。これ以外にも、例えばマスクの上縁及び下縁に、マスクシールの上端部及び下端部を差し込み可能なポケットがそれぞれ形成されている場合、この上端部及び下端部は粘着材を有していなくても良い。このほか、マスクの上縁を内側面方向に折って二重とし、この二重となった上縁の間にマスクシールの上端部を差し込んで固定する場合にも、上端部及び下端部は粘着材を有していなくても良い。
なお、マスクシールは、例えば、変形可能な材質からなる平板状シート体であるほか、一定以上の剛性を有して変形困難な材質からなるシート体を湾曲形状に形成したものであっても良い。
【００１３】
上記構成のマスクシールにおいては、１対の上方係止部がマスクの上縁に係止され、かつ下方係止部がマスクの下縁の少なくとも１箇所に係止されると、マスクが縦方向に最大限に拡張された状態となる。
また、マスクの横方向については、１対の上方係止部と、下方係止部は、いずれもマスクを横方向に拡張させるものではないが、マスクの着用によって、その上縁と下縁が顔面の立体形状に沿ってそれぞれ自然な形状に湾曲する状態を保持する。
さらに、中間部は、マスクの立体形状に沿ってマスクの内側面に接触して配置されるため、本体がマスクの内側面に装着されると、この本体によってマスクが顔面から突出した状態で立体的に保持される。
したがって、マスクの上記以外の大部分の内側面と、マスクシールの中間部は、顔面から離隔した状態が保持されるので、マスクが鼻や口、その周囲の皮膚に密着することが防止される。
【００１４】
また、第２の考案は、第１の考案において、上端部は、１対の上方係止部の代わりに、短冊状の上方帯状部からなり、上方帯状部は、マスクの上縁のうち、マスクの本体を横方向に均等分割する中心線を跨いで配置されることを特徴とする。
このような構成の考案においては、第１の考案の作用に加えて、短冊状の上方帯状部が一定以上の横幅を有しているため、一対の上方係止部の場合よりも、マスクシールがマスクの内側面に対してずれ難く、脱落し難くなる。
【００１５】
次に、第３の考案は、第１又は第２の考案において、マスクシールは、第１及び第２の面を有する基体と、第２の面を被覆する粘着層を備え、粘着層は、少なくとも上端部及び下端部に形成されることを特徴とする。
このような構成の考案においては、第１又は第２の考案の作用に加えて、少なくとも上端部及び下端部に粘着層を備えることにより、マスクシールが粘着層を介してマスクの内側面に固定される。よって、マスクシールがマスクの内側面からずれたり、マスクを外した際に不意に落下したりすることが防止される。
また、中間部にも粘着層を備えていても良く、この場合、上記のずれ防止効果や落下防止効果が一層強く発揮される。
【００１６】
さらに、第４の考案は、第１乃至第３のいずれかの考案において、中間部は、その平面形状がＶ字形状またはＹ字形状をなすことを特徴とする。
このような構成の考案においては、第１乃至第３のいずれかの考案の作用に加えて、中間部の平面形状がＶ字形状またはＹ字形状をなすため、下方係止部をマスクの横方向の中央部に配置すると、マスクの上縁寄りに配置される中間部同士の間に着用者の鼻が位置するようになる。
【００１７】
続いて、第５の考案は、第１乃至第４のいずれかの考案において、基体は、可撓性を有する合成樹脂製であることを特徴とする。
このような構成の考案においては、第１乃至第４のいずれかの考案の作用に加えて、基体が可撓性を有するため、これを適宜湾曲させることで容易にマスクシールがマスクの内側面に装着されるとともに、会話やマスクの付け外しによるマスクの形状変化に追随可能である。
なお、基体は、復元力を有していても、いなくても良い。ただし、前者では、例えば、基体が粘着層を介してマスクの内側面に装着されているときに、基体は粘着層が内側面から剥離しない程度の復元力を有しているものが望ましい。
具体的には、合成樹脂として、例えば、ポリエステルや、ポリプロピレンが使用される。また、可撓性は、合成樹脂の成分や、基体の厚みを選択することで、発揮され得るものである。
【００１８】
そして、第６の考案は、第１乃至第５のいずれかのマスクシールと、マスクシールが装着されるマスクからなり、マスクは、上縁に、上端部が取り付けられる第１の取付部を備えるとともに、下縁に、下端部が取り付けられる第２の取付部を備えることを特徴とする。
このような構成の考案においては、第１乃至第５のいずれかの考案の効果に加え、マスクシールの上端部と、下端部をそれぞれマスクの第１の取付部と、第２の取付部に取り付けることで、マスクシールがマスクへ装着される。
【考案の効果】
【００１９】
第１の考案によれば、１対の上方係止部と、下方係止部によって、マスクが縦方向に最大限に拡張された状態となるため、マスクを立体的に、特に縦方向についても十分に保持可能である。また、マスクシールをマスクの内側面に装着することによって、マスクが鼻や口、その周囲の皮膚に密着することが防止されることから、息苦しさ等の不快感が大きく軽減されるとともに、皮膚が不衛生になることを防止できる。したがって、長時間のマスク着用においても良好な快適性を発揮させることができる。
【００２０】
第２の考案によれば、第１の考案の効果に加え、マスクシールがマスクの内側面に対してずれ難くなるため、マスクを一層安定的に保持できる。
【００２１】
第３の考案によれば、第１又は第２の考案の効果に加え、少なくとも上端部及び下端部に粘着層を備えることにより、マスクシールのずれ防止効果等が発揮されるので、立体形状が失われ難い。
【００２２】
第４の考案によれば、第１乃至第３のいずれかの考案の効果に加え、下方係止部をマスクの横方向の中央部に配置すると、中間部同士の間に着用者の鼻が位置するようになるため、マスクシールを素早くマスクの適切な位置に装着できる。
【００２３】
第５の考案によれば、第１乃至第４のいずれかの考案の効果に加えて、基体が可撓性を有することによりマスクシールをマスクへ容易に装着できるため、使い勝手が良好である。
また、基体が合成樹脂製であることにより、マスクシールのうち、少なくとも基体を容易に洗浄または消毒可能である。そのため、マスクシールを衛生的に再利用することができる。
【００２４】
第６の考案によれば、第１乃至第５の考案のいずれかの作用に加えて、マスクシールを簡単かつ確実にマスクへ装着することができる。また、マスクシールが粘着層を備えない場合にも、これを確実にマスクへ固定できる。
【図面の簡単な説明】
【００２５】
【図１】（ａ）は実施例１に係るマスクシールを構成する基体を、第１の面側から見た場合の平面図であり、（ｂ）は（ａ）におけるＡ−Ａ線での断面図であり、（ｃ）は基体の第２の面を被覆する粘着層の平面図である。
【図２】（ａ）は実施例１に係るマスクシールのサイズと、従来技術に係る不織布製マスクのサイズを比較するための平面図であり、（ｂ）は同マスクシールを従来技術に係るマスクの内側面に装着する手順を説明するための斜視図である。
【図３】（ａ）は実施例１に係るマスクシールを、従来技術に係るマスクの内側面に装着した状態を示す斜視図であり、（ｂ）及び（ｃ）はそれぞれ実施例１の第１及び第２の変形例に係るマスクシールを構成する粘着層の平面図である。
【図４】（ａ）及び（ｂ）は、それぞれ実施例１の第３及び第４の変形例に係るマスクシールの平面図であり、（ｃ）は実施例２に係るマスクシールセットを構成するマスクをその内面側から見た場合の平面図である。
【考案を実施するための形態】
【実施例１】
【００２６】
本考案の第１の実施の形態に係るマスクシールについて、図１乃至図３を用いて詳細に説明する。図１（ａ）は実施例１に係るマスクシールを構成する基体を、第１の面側から見た場合の平面図であり、図１（ｂ）は図１（ａ）におけるＡ−Ａ線での断面図であり、図１（ｃ）は基体の第２の面を被覆する粘着層の平面図である。
図１（ａ）乃至図１（ｃ）に示すように、実施例１に係るマスクシール１は、シート状をなし、マスクの立体形状を保持するためにマスクの内側面に装着される。なお、マスクシール１が装着されるマスクは、不織布製や布製の、複数のプリーツを備えるプリーツ型マスクが好適に用いられるほか、プリーツを有しない平面型マスクが用いられる。
【００２７】
マスクシール１は、上端部２と、下端部３と、上端部２と下端部３の間に介在する中間部４を備える。
このうち、上端部２はマスク５０の上縁５１ａ（図２（ａ）参照）に配置される。詳細には、上端部２とは、マスク５０の上縁５１ａのうち、間隔を空けた２箇所に係止される１対の上方係止部２Ａ，２Ａである。よって、上縁５１ａの上記２箇所に対応するため、上方係止部２Ａ，２Ａ同士の最大間隔Ｄは、例えば３０〜８０（ｍｍ）の範囲から選択される。
さらに、下端部３はマスク５０の下縁５１ｂ（図２（ａ）参照）に配置される。詳細には、下端部３とは、マスク５０の下縁５１ｂの１箇所に係止される下方係止部３Ａである。
そして、中間部４は、その平面形状が略Ｖ字形状をなす。
したがって、マスクシール１は、全体的な平面形状が略Ｖ字形状をなしており、１対の上方係止部２Ａ，２Ａ、下方係止部３Ａ及び中間部４を備えて、着用時にマスクを顔面から突出するように保持する。
【００２８】
また、図１（ｂ）及び図１（ｃ）に示すように、マスクシール１は、第１の面５ａ及び第２の面５ｂを有するシート状の基体５と、第２の面５ｂを被覆する粘着層６と、この粘着層６を被覆する一方で容易に剥離可能な剥離紙７が積層されて形成される。このうち、基体５は、可撓性を有するポリエステル製であって、第１の面５ａが着用者の顔面側に対向するように想定されたものである。また、粘着層６は、例えば、再剥離糊や、再剥離と再接着の双方が可能な粘着材からなり、上端部２、下端部３及び中間部４のすべてに亘って形成されている。
よって、マスクシール１は、上記の積層構造を有する１枚のシート体が、略Ｖ字状にカットされて製造される。
【００２９】
次に、マスクシール１の構成と、マスクへの装着手順について、図２及び図３（ａ）を用いて説明する。図２（ａ）は実施例１に係るマスクシールのサイズと、従来技術に係る不織布製マスクのサイズを比較するための平面図であり、図２（ｂ）は同マスクシールを従来技術に係るマスクの内側面に装着する手順を説明するための斜視図である。また、図３（ａ）は実施例１に係るマスクシールを、従来技術に係るマスクの内側面に装着した状態を示す斜視図である。なお、図１で示した構成要素については、図２及び図３（ａ）においても同一の符号を付して、その説明を省略する。また、図２（ａ）に示すマスクにおいて、片方の耳掛け紐の図示も省略する。
【００３０】
図２（ａ）に示すように、マスクシール１が装着されるマスク５０は、上縁５１ａと、下縁５１ｂと、両側縁５１ｃ，５１ｄで囲まれてなる本体５１を備える。また、本体５１は、上縁５１ａに設けられる金属薄片からなる鼻当て５３と、複数のプリーツ５４ａ〜５４ｃを備える。
また、両側縁５１ｃ，５１ｄの長さＹ１は、本体５１の縦方向Ｙに沿った最小長さである。この最小長さＹ１は、プリーツ５４ａ〜５４ｃが拡げられることによって本体５１が外方へ膨らみ、立体形状を呈する場合に、本体５１周面の縦方向Ｙに沿った最大長さＹ２（図示せず）となる。ここで、縦方向Ｙとは、マスク５０を着用時に、着用者の顔面の正中線に略平行となる方向であって、横方向Ｘとは、正中線に略直交する方向である。また、マスク５０の中心線Ｃ１は、本体５１を横方向Ｘに均等分割する仮想の線である。
これに対し、マスクシール１の高さＨは、本体５１の最大長さＹ２と略同等になるよう設計される。なお、マスクシール１の中心線Ｃは、マスクシール１を横方向Ｘに均等分割する仮想の線である。また、上方係止部２Ａ，２Ａや下方係止部３Ａを一部カットすることで、マスクシール１の高さＨを微調整可能である。
【００３１】
次に、マスクシール１をマスク５０の内側面５２に装着する手順の一例を説明する。最初に、マスクシール１の中心線Ｃが、マスク５０の中心線Ｃ１と一致するようにマスクシール１を配置する。次いで、マスクシール１の上方係止部２Ａ，２Ａ部分の剥離紙７（図１（ｂ）参照）をそれぞれ剥がす。そして、図２（ｂ）に示すように、露出した粘着層６を鼻当て５３の直下に貼着する。
続いて、マスク５０を立体形状に膨らませた後、徐々に残りの剥離紙７を剥がしてマスクシール１の全体をマスク５０の内側面５２に貼着する。もちろんこれ以外に、最初に下方係止部３Ａ部分の粘着層６を、下縁５１ｂに貼着しても良い。
【００３２】
前述の手順のとおり、マスクシール１をマスク５０の内側面５２に貼着すると、マスクシール１の高さＨが本体５１の最大長さＹ２と略同等になるよう設計されているため、図３（ａ）に示すように、マスク５０の本体５１が縦方向Ｙに最大限に拡張された状態で保持されることになる。また、マスクシール１の中心線Ｃをマスク５０の中心線Ｃ１と一致させたことで、１対の上方係止部２Ａ，２Ａ同士の間に着用者の鼻が位置するようになる。
【００３３】
上記構成のマスクシール１においては、着用者の顔面に接触するのは、本体５１の上縁５１ａ、下縁５１ｂ及び両側縁５１ｃ，５１ｄと、マスクシール１の上方係止部２Ａ，２Ａ及び下方係止部３Ａに限られる。したがって、本体５１の上記以外の内側面５２の大部分と、マスクシール１の中間部４は、顔面から離隔した状態が保持されるので、本体５１が全体的に鼻や口、その周囲の皮膚に密着することが防止される。
また、マスクシール１は、その全体が粘着層６を介して本体５１の内側面５２に固定されるため、マスクシール１のずれや落下が防止される。さらに、基体５が可撓性を有することから、会話やマスク５０の付け外しによる本体５１の形状変化に追随可能である。
【００３４】
以上説明したように、マスクシール１によれば、本体５１が縦方向Ｙに最大限に拡張された状態で保持されることになるため、本体５１が顔面から突出した状態で立体的に、特に縦方向Ｙについても十分に保持可能である。また、本体５１が鼻や口、その周囲の皮膚に密着することが防止されることから、息苦しさ等の不快感が大きく軽減されるとともに、皮膚が不衛生になることを防止できる。したがって、長時間のマスク着用においても良好な快適性を発揮させることができる。
さらに、基体５の全面に亘って粘着層６を備えることにより、マスクシール１のずれ防止効果等が発揮されるので、呼吸や外からの風圧によって立体形状が失われ難い。よって、本体５１の形状を気にすることなくこれを着用できる。また、マスク５０を取り外した場合に、マスクシール１が不意に落下するおそれがない。
【００３５】
加えて、マスクシール１によれば、マスクシール１の中心線Ｃをマスク５０の中心線Ｃ１と一致させたことで、１対の上方係止部２Ａ，２Ａ同士の間に着用者の鼻が位置するようになるため、マスクシール１を素早く本体５１の適切な位置に装着できる。また、Ｖ字形状またはＹ字形状は、いずれも単純な形状であり、原材料のシート体を複雑な形状にカットする必要がない。そのため、原材料の利用効率を従来よりも向上させることができるから、製造コストを低廉に抑制可能である。
【００３６】
さらに、マスクシール１によれば、基体５が可撓性を有することによりマスクシール１を本体５１へ容易に装着できるため、使い勝手が良好である。また、マスクシール１は本体５１の形状変化に追随可能であるから、会話や外力によって本体５１から剥離することがなく、本体５１の立体形状を安定的に保持することができる。また、本体５１の柔軟性を維持させることも可能である。
また、基体５が合成樹脂製であることにより、マスクシール１のうち、少なくとも基体５を容易に洗浄または消毒可能である。そのため、マスクシール１を衛生的に再利用することができる。
【００３７】
続いて、実施例１の第１乃至第３の変形例に係るマスクシールについて、図３（ｂ）乃至図４（ｂ）を用いて説明する。図３（ｂ）及び図３（ｃ）はそれぞれ実施例１の第１及び第２の変形例に係るマスクシールを構成する粘着層の平面図である。図４（ａ）及び図４（ｂ）は、それぞれ実施例１の第３及び第４の変形例に係るマスクシールの平面図である。なお、図１乃至図３（ａ）で示した構成要素については、図３（ｂ）乃至図４（ｂ）においても同一の符号を付して、その説明を省略する。
図３（ｂ）に示すように、実施例１の第１の変形例に係るマスクシール１ａは、実施例に係るマスクシール１を構成する粘着層６の代わりに、粘着層８ａ，８ｂ（斜線部）を備える。この粘着層８ａ，８ｂは、マスクシール１の基体５における上端部２及び下端部３のみにそれぞれ形成される。これ以外のマスクシール１ａの構成は、実施例１に係るマスクシール１の構成と同様である。
【００３８】
上記構成のマスクシール１ａは、粘着層８ａ，８ｂを介してマスク５０の内側面５２に貼着されるため、ずれや落下を防止できることに加え、マスクシール１ａを交換する際に内側面５２から剥離し易いという効果を有する。これ以外のマスクシール１ａの作用及び効果は、実施例１に係るマスクシール１の作用及び効果と同様である。
【００３９】
図３（ｃ）に示すように、実施例１の第２の変形例に係るマスクシール１ｂにおいて、上端部２は、上方係止部２Ａ，２Ａ（図１参照）の代わりに、略短冊状の上方帯状部２Ｄからなる。
この上方帯状部２Ｄは、マスクシール１の粘着層６の代わりに、粘着層８ｂ，８ｃ（斜線部）を備え、マスク５０の上縁５１ａのうち、中心線Ｃ１（図２（ａ）参照）を跨いで配置される。これは、例えば、マスクシール１ｂの中心線Ｃをマスク５０の中心線Ｃ１と一致させて、マスクシール１ｂを配置することによる。
マスクシール１ｂにおいては、上方帯状部２Ｄが一定以上の横幅を有しているため、マスク５０の内側面５２に対するマスクシール１ｂのずれや脱落が起こり難くなる。よって、マスクシール１ｂによって、マスク５０を一層安定的に保持できる。
また、上方帯状部２Ｄの基体５が、所定の形状を維持する形体維持性をも有しているため、上方帯状部２Ｄの形状を鼻の表面にフィットするように維持することができる。そのため、マスク着用による呼吸のしづらさを解消可能である。これ以外のマスクシール１ｂの構成、作用及び効果は、実施例１に係るマスクシール１の構成、作用及び効果と同様である。
【００４０】
図４（ａ）及び図４（ｂ）に示すように、実施例１の第３及び第４の変形例に係るマスクシール１ｃ，１ｄは、中間部４の平面形状がいずれも略Ｙ字形状をなす。ただし、マスクシール１ｃにおける１対の上方係止部２Ｂ，２Ｂの最大間隔Ｄ１は、マスクシール１ｄにおける１対の上方係止部２Ｃ，２Ｃの最大間隔Ｄ２（Ｄ２＝マスクシール１における最大間隔Ｄ）よりも狭めとなっている。これは、マスクシール１ｃが小型サイズの本体５１に装着され、マスクシール１ｄは標準サイズの本体５１に装着されることを想定したものである。これ以外のマスクシール１ｃ，１ｄの構成、作用及び効果は、実施例１に係るマスクシール１の構成、作用及び効果と同様である。
【実施例２】
【００４１】
本考案の第２の実施の形態に係るマスクシールセットを構成するマスクについて、図４（ｃ）を用いて説明する。図４（ｃ）は実施例２を構成するマスクをその内面側から見た場合の平面図である。なお、図１乃至図４（ｂ）で示した構成要素については、図４（ｃ）においても同一の符号を付して、その説明を省略する。
実施例２に係るマスクシールセットは、マスクシール１（図１参照）と、このマスクシール１が装着されるマスク９からなる。ただし、マスク９には、マスクシール１の代わりに、マスクシール１ａ〜１ｄが装着されても良い。
図４（ｃ）に示すように、マスク９は、上縁１０ａと、下縁１０ｂと、両側縁１０ｃ，１０ｄで囲まれてなる本体１０を備えるプリーツ型の布マスクである。これら上縁１０ａ乃至両側縁１０ｃ，１０ｄは、いずれも１枚の布体が二重に折り曲げられて形成されたものである。
【００４２】
さらに、マスク９は、上縁１０ａに、マスクシール１の１対の上方係止部２Ａ，２Ａがそれぞれ取り付けられる第１の取付部１１，１１を備えるとともに、下縁１０ｂに、下方係止部３Ａが取り付けられる第２の取付部１２を備える。
具体的には、第１の取付部１１は、開口部１１ａを有する平行四辺形状の袋状部である。また、第２の取付部１２は、開口部１２ａを有する台形状の袋状部である。詳細には、第１の取付部１１は、開口部１１ａ以外の３辺において、二重に重ねられた布体同士が縫合されてなる。同様に、第２の取付部１２も、開口部１２ａ以外の３辺において、二重に重ねられた布体同士が縫合されてなる。
【００４３】
上記構成のマスク９においては、マスクシール１の上方係止部２Ａ，２Ａと、下方係止部３Ａを、それぞれ開口部１１ａ，１１ａと、開口部１２ａへ差し込むことで、マスクシール１をマスク９へ簡単かつ正確に装着することができる。また、マスクシール１のサイズに適応したサイズのマスク９を組み合わせて販売することができるため、購入時に両者のサイズを確認する手間が省けるとともに、その不一致を防止することができる。
【００４４】
なお、本考案に係るマスクシールは、実施例に示すものに限定されない。例えば、マスクシールは、中間部の平面形状がＨ字形状またはＸ字形状をなしていても良い。この場合、マスク９の第２の取付部１２は、下縁１０ｂに沿って間隔を開けた２箇所に設けられる。また、マスクシールの下端部３は、下方係止部３Ａの代わりに、長尺の下方帯状部が設けられても良い。
また、基体は、厚紙の両面が軟質樹脂によってコーティングされてなるものであっても良い。さらに、マスク９は、不織布製であっても良い。このほか、第１の取付部１１及び第２の取付部１２は、マスク９の上縁１０ａ及び下縁１０ｂに布片または不織布片が取り付けられ、開口部がそれぞれ形成されたものでも良い。
【産業上の利用可能性】
【００４５】
本考案は、マスクの立体形状を保持するために、マスクの内側面に装着されるマスクシール、及び、このマスクシールと、マスクからなるマスクシールセットとして利用可能である。
【符号の説明】
【００４６】
１，１ａ〜１ｄ…マスクシール  ２…上端部  ２Ａ〜２Ｃ…上方係止部  ２Ｄ…上方帯状部  ３…下端部  ３Ａ…下方係止部  ４…中間部  ５…基体  ５ａ…第１の面  ５ｂ…第２の面  ６…粘着層  ７…剥離紙  ８ａ〜８ｃ…粘着層  ９…マスク  １０…本体  １０ａ…上縁  １０ｂ…下縁  １０ｃ，１０ｄ…側縁  １１…第１の取付部  １１ａ…開口部  １２…第２の取付部  １２ａ…開口部  ５０…マスク  ５１…本体  ５１ａ…上縁  ５１ｂ…下縁  ５１ｃ，５１ｄ…側縁  ５２…内側面  ５３…鼻当て  ５４ａ〜５４ｃ…プリーツ
【図１】
0003229358.tif 000003
【図２】
0003229358.tif 000004
【図３】
0003229358.tif 000005
【図４】
0003229358.tif 000006